(57)【要約】【課題】良好な快適性および／または安全性を提供する導管コネクタを実現すること。【解決手段】鼻カニューレを気体送達ホースに取り付けるためのコネクタまたはコネクタアセンブリが、鼻カニューレの端部近辺に配置されたセンサプローブのためのセンサポートを含み、従来のコネクタ部品よりも、センサプローブを患者の外鼻孔のより近傍に配置することを可能にする。コネクタが、鼻カニューレを気体送達ホースに対して有利に回転できるように構成され、患者または医療提供者がホースまたはカニューレをほどくか、まっすぐにすることができる。コネクタアセンブリが第１の構成要素上の係止突起物を第２の構成要素上の係止凹部と自動的に整列するように構成され、第１の構成要素内に第２の構成要素を挿入すると第２の構成要素が第１の構成要素に対して回転し、係止突起物を対応する係止凹部と整列させる。【選択図】図１Ａ
2020049247.tif 000002
【特許請求の範囲】
【請求項１】
ガスを患者に提供するための気体送達導管用のコネクタアセンブリであって、
第１の導管コネクタを第２の導管コネクタに着脱可能に取り付けるように構成された連結アダプタであって、
第１の導管本体と、
前記第１の導管コネクタに着脱可能に取り付けるように構成された１つまたは複数の係止指であって、前記１つまたは複数の係止指が前記導管本体から長手方向に突出している１つまたは複数の係止指と、を含む、連結アダプタを含み、
前記第１の導管コネクタが、
第２の導管本体と、
前記連結アダプタの前記１つまたは複数の係止指に着脱可能に取り付けるように構成された１つまたは複数の係止タブであって、前記１つまたは複数の係止タブが前記第２の導管本体の内部表面に形成されている、１つまたは複数の係止タブと、を含む、
コネクタアセンブリ。
【請求項２】
前記第１の導管コネクタが、センサプローブを受け入れるためのセンサポートをさらに含み、前記センサポートが前記第２の導管本体上の孔に隣接してほぼ垂直に形成され、前記孔が前記連結アダプタを前記第２の導管本体内に受け入れるように構成されている、請求項１に記載のコネクタアセンブリ。
【請求項３】
前記連結アダプタが前記第１の導管コネクタに取り付けられると、前記センサポートが前記連結アダプタの前記１つまたは複数の係止指によって形成される挿入孔への開口部を形成し、前記開口部は、前記センサプローブが前記挿入孔内に延びることを可能にするように構成されている、請求項２に記載のコネクタアセンブリ。
【請求項４】
前記連結アダプタが前記第１の導管コネクタに取り付けられると、前記連結アダプタの前記１つまたは複数の係止指の前記端部が前記センサポートによって形成された前記開口部を越えて延びるように前記センサポートが前記第２の導管本体に形成されている、請求項３に記載のコネクタアセンブリ。
【請求項５】
前記連結アダプタが前記第１の導管コネクタに取り付けられると、前記連結アダプタの前記１つまたは複数の係止指によって形成される挿入孔間に前記第１の導管コネクタが嵌合するように配置されるセンサプローブをさらに含む、請求項１に記載のコネクタアセンブリ。
【請求項６】
前記第１の導管コネクタが着脱式センサプローブを受け入れるための受け入れ部をさらに含み、前記受け入れ部が前記第２の導管本体内に形成され、前記連結アダプタが前記第１の導管コネクタに取り付けられると、前記連結アダプタの前記１つまたは複数の係止指によって形成される挿入孔間に前記受け入れ部が前記着脱式センサプローブを配置するように構成されている、請求項１に記載のコネクタアセンブリ。
【請求項７】
前記第１の導管コネクタの前記１つまたは複数の係止タブの、前記導管コネクタの前記１つまたは複数の係止指との完全係合が可聴音を発生させる、請求項１に記載のコネクタアセンブリ。
【請求項８】
前記連結アダプタが前記第１の導管コネクタと前記第２の導管コネクタとの間に迅速連結機構を提供するように構成されている、請求項１に記載のコネクタアセンブリ。
【請求項９】
前記第１の導管コネクタの前記第２の導管本体の内部表面に形成されたアライメントタブであって、前記連結アダプタを前記第１の導管コネクタ内に挿入すると、前記アライメントタブが前記連結アダプタの前記１つまたは複数の係止指を前記第１の導管コネクタの前記１つまたは複数の係止タブと自動的に整列するように構成されているアライメントタブを含む、請求項１に記載のコネクタアセンブリ。
【請求項１０】
前記１つまたは複数の係止指が２つの係止指を含む、請求項１に記載のコネクタアセンブリ。
【請求項１１】
前記患者の呼吸デバイスが鼻カニューレを含む、請求項１に記載のコネクタアセンブリ。
【請求項１２】
前記気流源が加湿器を含む、請求項１に記載のコネクタアセンブリ。
【請求項１３】
前記気流源が酸素源を含む、請求項１に記載のコネクタアセンブリ。
【請求項１４】
気体送達導管のためのコネクタであって、当該コネクタが気流源を患者用の呼吸デバイスに取り付けるように構成されているコネクタであり、
気流源と連結するための第１の孔と、呼吸デバイスと連結するための第２の孔とを含む第１の導管本体と、
前記第１の導管本体上にほぼ垂直に形成された第２の導管本体であって、前記第２の導管本体が、センサプローブを受け入れるための、および前記センサプローブに前記第１の導管本体内の気流へのアクセスを提供するための第３の孔を含む第２の導管本体と、
前記第１の導管本体の内部表面に形成された係止タブであって、前記係止タブが前記呼吸デバイスに取り付けられた連結機構に着脱可能に取り付けられるように構成された係止タブと、を含み、
前記第２の導管本体が前記導管本体の前記第２の孔に実質的に隣接する、
コネクタ。
【請求項１５】
前記第１の導管本体の前記内部表面に形成されたアライメントタブをさらに含み、前記アライメントタブが、前記連結機構の係止指を前記係止タブと自動的に整列するように構成されている、請求項１４に記載のコネクタ。
【請求項１６】
前記アライメントタブが、前記第１の導管本体の前記内部表面に周方向に形成された１つの交互する隆起を含み、前記１つの連続的な隆起が前記第２の孔に向かう第１の距離から前記第２の孔から離れる第２の距離を交互する、請求項１５に記載のコネクタ。
【請求項１７】
前記呼吸デバイスが鼻カニューレを含む、請求項１４に記載のコネクタ。
【請求項１８】
前記気流源が加湿器を含む、請求項１４に記載のコネクタ。
【請求項１９】
前記気流源が酸素源を含む、請求項１４に記載のコネクタ。
【請求項２０】
前記センサプローブが湿度および温度の少なくとも１つを測定するように構成されている、請求項１４に記載のコネクタ。
【請求項２１】
前記第１の導管本体がほぼ円筒状である、請求項１４に記載のコネクタ。
【請求項２２】
気体送達導管用のコネクタアセンブリであって、
第１の導管本体と、
連結アダプタに着脱可能に取り付けるように構成された係止タブであって、前記係止タブが前記第１の導管本体の内部表面に形成された係止タブと、
前記連結アダプタが前記第１の導管本体に取り付けられると前記連結アダプタを前記係止タブと整列するように構成されたアライメントタブであって、前記アライメントタブが前記第１の導管本体の前記内部表面に形成されている、アライメントタブと、
を含む、第１の導管コネクタを含む、コネクタアセンブリ。
【請求項２３】
前記アライメントタブが、前記第１の導管本体の前記内部表面に周方向に形成された１つの交互する隆起を含む、請求項２２に記載のコネクタアセンブリ。
【請求項２４】
前記第１の導管コネクタが、センサプローブを受け入れるためのセンサポートを含み、前記センサポートが前記第１の導管本体の孔に隣接して形成され、前記孔が前記係止タブに隣接する、請求項２２に記載のコネクタアセンブリ。
【請求項２５】
前記センサポートが前記第１の導管本体に対してほぼ垂直に形成されている、請求項２４に記載のコネクタアセンブリ。
【請求項２６】
前記センサポートが、前記連結アダプタが前記第１の導管コネクタに取り付けられると、前記センサプローブが前記連結アダプタによって形成された挿入孔内に延びることを可能にするように構成されている、請求項２４に記載のコネクタアセンブリ。
【請求項２７】
前記連結アダプタが前記第１の導管コネクタに取り付けられると前記センサポートが前記連結アダプタの端部よりも前記患者に近くなる、請求項２４に記載のコネクタアセンブリ。
【請求項２８】
前記第１の導管本体の孔に隣接して、前記係止タブと同じ距離で、または前記係止タブよりも前記孔の近傍に形成されたセンサをさらに含み、前記孔が前記連結アダプタと連結するように構成されている、請求項２２に記載のコネクタアセンブリ。
【請求項２９】
前記係止タブが、前記第１の導管本体の前記内部表面に周方向に形成された環状リングを含む、請求項２２に記載のコネクタアセンブリ。
【請求項３０】
前記係止タブが前記第１の導管本体の前記内部表面に形成された隆起突起物を含む、請求項２２に記載のコネクタアセンブリ。
【請求項３１】
第１の導管コネクタを第２の導管コネクタに着脱可能に取り付けるように構成されたコネクタアダプタであって、
前記第１の導管コネクタに着脱可能に取り付けるように構成された１つまたは複数の係止指を有する導管本体であって、前記１つまたは複数の係止指が前記導管本体から長手方向に突出している導管本体と、
各々の係止指に形成された１つまたは複数の係止凹部であって、前記もう１つの係止凹部が前記第１の導管コネクタに形成された係止タブと係合するように構成されている、１つまたは複数の係止凹部と、
を含む、コネクタアダプタ。
【請求項３２】
係止指が前記第１の導管コネクタ内のセンサプローブの周りに少なくとも部分的に延びるように構成されている、請求項３１に記載のコネクタアダプタ。
【請求項３３】
前記連結アダプタが前記第１の導管コネクタに連結されると、前記１つまたは複数の係止凹部が前記第１の導管コネクタ上の１つまたは複数の係止タブと整列するように、前記連結アダプタが前記第１の導管コネクタ上の１つまたは複数のアライメントタブと相互作用するように構成されている、請求項３１に記載のコネクタアダプタ。
【請求項３４】
機械的な結合部が前記機械的な結合部の領域内にセンサプローブのための空間を提供するように、前記連結アダプタの前記１つまたは複数の係止指が前記第１の導管コネクタと機械的に結合するように構成されている、請求項３１に記載のコネクタアダプタ。
【請求項３５】
前記第１の導管本体の外部表面に形成されたチャネルであって、前記チャネルが前記第２の導管本体の内部表面に形成された１つまたは複数の連結隆起と回転自在に係合するように構成されたチャネルをさらに含む、請求項３１に記載のコネクタアダプタ。
【請求項３６】
前記第１の導管コネクタが気流源に連結し、前記第２の導管コネクタがカニューレに連結する、請求項３１に記載のコネクタアダプタ。
【発明の詳細な説明】
【技術分野】
【０００１】
この開示は気体送達ホース用のコネクタの分野に関する。
【背景技術】
【０００２】
鼻カニューレは、治療のため、または呼吸の補助のために、補助酸素、他のガス、または気流を患者または人に送達するために使用されるデバイスである。一般に、カニューレは、プラスチックチューブおよび外鼻孔内に配置される２つのプロングのセットを含む。これらプロングから酸素または他のガスを流すことができる。
【０００３】
鼻カニューレは、酸素タンク、可搬式酸素発生器、流量計を介して病院の壁連結部（ｗａｌｌ  ｃｏｎｎｅｃｔｉｏｎ）、または他のガス源に連結することができる。鼻カニューレは、大きさに一部依拠する割合で患者に酸素を供給することができる。例えば、乳児または新生児の鼻用タイプが運ぶことができる酸素はより少量であり、成人用タイプよりも小さなプロングを有しうる。カニューレを酸素添加空気、加湿空気または他の混合ガスを供給するために使用することができる。
【０００４】
したがって、前述の課題に対処する少なくともいくらかの助けになる、または公に有用な選択肢を少なくとも提供するコネクタ、および／または気体送達ホース用のコネクタを提供することが本発明の目的である。
【０００５】
特許明細書、他の外部文書または他の情報源を参照する本明細書では、これは一般に本発明の特徴を記載するための背景を提供する目的である。特に具体的に明記されない限り、このような外部文書を参照することは、このような文書、またはこのような情報源がいずれの管轄区域においても先行技術であるか、当技術分野における一般共通認識の一部を形成すると認めたと解釈されるものではない。
【０００６】
本発明のさらなる態様および利点は単に例として提供される以下の記載から明らかになろう。
【発明の概要】
【発明が解決しようとする課題】
【０００７】
いくつかの状況においては、加湿気流または酸素治療を提供するために鼻カニューレが使用される。患者が受け取る気流を監視するためにセンサプローブを使用することができる。しかしながら、空気を外鼻孔に提供するプロングからのプローブの距離が遠くなるほど、採取される空気と患者が吸入する空気との間の潜在的差異は大きくなる。したがって、センサプローブを患者のより近傍の気流中に配置する導管コネクタは、取得する測定値の精度を高めることができる。
【０００８】
鼻カニューレまたは他の呼吸デバイスは患者に長時間連結されうるため、鼻カニューレは患者に不快を生じさせる可能性がある、またはそうでなければ最適に満たない状態で実施され始める可能性がある。例えば、患者が病院のベッドの周りを移動する際、鼻カニューレチュービングがからまったり、よじれたりする場合があり、患者を不快にしたりカニューレ内の気流を制限したりすることとなる。したがって、鼻カニューレの調整を容易にするデザインにより、患者により良好な快適性を提供し、かつ性能を向上することもできる。
【０００９】
時として、鼻カニューレまたは気流源を取り外し、または交換する必要がある場合がある。鼻カニューレを気流源から取り外すことが困難であり、または時間がかかる場合、鼻カニューレの取り外しが患者の大きな不快の原因となる可能性がある。さらに、緊急時においては、遅いまたは難解な連結機構は、場合によっては患者の健康を危険にさらすおそれがある。したがって、鼻カニューレの、気流源からの取り付け、および取り外しを容易にする、ならびに構成要素の互換性を促進する「迅速な連結」または「迅速な解放」という特徴を提供する導管コネクタは、より良好な快適性および／または安全性を提供することができる。
【課題を解決するための手段】
【００１０】
上記の問題に対処するために、本開示の態様は、鼻カニューレを気体送達ホースと取り付けるためのコネクタまたはコネクタアセンブリを含む。一実施形態では、コネクタアセンブリはセンサプローブのためのセンサポートを含む。センサポートは鼻カニューレの端部近辺に、患者に向けて配置されている。一実施形態では、コネクタは、センサを、従来のコネクタ部品が可能にするよりも患者の外鼻孔のより近傍に配置することができるように構成されている。
【００１１】
本開示の態様は、また、第１の構成要素上の係止突起物を第２の構成要素上の係止凹部と自動的に整列するように構成された自己整列式コネクタアセンブリを含む。第１の構成要素内に第２の構成要素を挿入すると、第２の構成要素が第１の構成要素に対して回転し、それによって、係止突起物を対応する係止凹部と整列させる。一実施形態では、コネクタは、鼻カニューレを気体送達ホースに対して有利に回転させることができるように構成されている。回転を可能にすることによって、コネクタは患者または医療提供者がホースまたはカニューレをほどくか、そうでなければまっすぐにすることを可能にし、それによって患者の快適性を向上する。
【００１２】
本明細書において使用される用語「含む（ｃｏｍｐｒｉｓｉｎｇ）」は、「少なくとも部分的に含む（ｃｏｎｓｉｓｔｉｎｇ  ａｔ  ｌｅａｓｔ  ｉｎ  ｐａｒｔ  ｏｆ）」を意味する。用語「含む（ｃｏｍｐｒｉｓｉｎｇ）」を含む本明細書の各表現を解釈する場合、用語が予め言及したもの以外の特徴も存在してよい。「含む（ｃｏｍｐｒｉｓｅ）」および「含む（ｃｏｍｐｒｉｓｅｓ）」などの関連用語も同様に解釈されるものとする。
【００１３】
本発明は、また、本出願の明細書に個々にまたは集合的に言及されるまたは示される部品、要素および特徴、ならびに任意の２つ以上の前記部品、要素または特徴の任意のまたは全ての組み合わせを広く含んでもよく、本発明が関連する当技術分野において公知の均等物を有する特定の完全体が本明細書中に言及される場合、そのような公知の均等物は個々に説明するかのように本明細書中に組み込まれるものとする。
【００１４】
本発明は前述のものを含み、また、以下に記載する構造は単に実施例であると想定する。
【００１５】
図面全体を通じて、参照符号は参照した要素間の対応を示すために再使用されうる。図面は本明細書中に記載される開示の実施形態を示すために提供されるものであり、その範囲を限定するものではない。
【図面の簡単な説明】
【００１６】
【図１Ａ】第１のチューブを第２のチューブと取り付けるためのコネクタ実施形態を有する気体送達導管の分解斜視図を示す。コネクタは、ソース導管コネクタと、ターミナル導管コネクタと、連結アダプタとを有する。
【図１Ｂ】図１Ａのコネクタ実施形態の側面図を示す。
【図１Ｃ】ソース導管コネクタ、ターミナル導管コネクタおよび連結アダプタの他の実施形態を有する別のコネクタ実施形態の斜視図を示す。
【図２Ａ】図１Ａのソース導管コネクタのターミナル孔側の斜視図を示す。
【図２Ｂ】図１Ｃのソース導管コネクタの種々の図を示す。
【図２Ｃ】図１Ｃのソース導管コネクタの種々の図を示す。
【図２Ｄ】図１Ｃのソース導管コネクタの種々の図を示す。
【図２Ｅ】図１Ｃのソース導管コネクタの種々の図を示す。
【図２Ｆ】図１Ｃのソース導管コネクタの種々の図を示す。
【図２Ｇ】図１Ｃのソース導管コネクタの種々の図を示す。
【図３Ａ】ソース孔側およびターミナル孔側それぞれから図１Ａの連結アダプタの斜視図を示す。
【図３Ｂ】ソース孔側およびターミナル孔側それぞれから図１Ａの連結アダプタの斜視図を示す。
【図３Ｃ】図１Ｃの連結アダプタの種々の図を示す。
【図３Ｄ】図１Ｃの連結アダプタの種々の図を示す。
【図３Ｅ】図１Ｃの連結アダプタの種々の図を示す。
【図３Ｆ】図１Ｃの連結アダプタの種々の図を示す。
【図３Ｇ】図１Ｃの連結アダプタの種々の図を示す。
【図４Ａ】図１Ａのターミナル導管コネクタのソース孔側の斜視図およびターミナル導管コネクタの頂面図を示す。
【図４Ｂ】図１Ａのターミナル導管コネクタのソース孔側の斜視図およびターミナル導管コネクタの頂面図を示す。
【図４Ｃ】図１Ｃのターミナル導管コネクタの種々の図を示す。
【図４Ｄ】図１Ｃのターミナル導管コネクタの種々の図を示す。
【図４Ｅ】図１Ｃのターミナル導管コネクタの種々の図を示す。
【図４Ｆ】図１Ｃのターミナル導管コネクタの種々の図を示す。
【図４Ｇ】図１Ｃのターミナル導管コネクタの種々の図を示す。
【図５Ａ】図１Ａのコネクタの長手方向断面図を示す。
【図５Ｂ】図１Ａのコネクタの長手方向断面図を示す。
【図５Ｃ】図１Ａのコネクタの長手方向断面図を示す。
【図６】図１Ｂの軸線に沿って切った断面を示し、かつ連結アダプタの、ソース導管コネクタとの係合を示す。
【図７】別のコネクタ実施形態を示す。
【図８】別のコネクタ実施形態を示す。
【図９】別のコネクタ実施形態を示す。
【図１０】別のコネクタ実施形態を示す。
【図１１Ａ】別のコネクタ実施形態を示す。
【図１１Ｂ】別のコネクタ実施形態を示す。
【図１２】別のコネクタ実施形態を示す。
【図１３】別のコネクタ実施形態を示す。
【図１４】別のコネクタ実施形態を示す。
【図１５】別のコネクタ実施形態を示す。
【図１６】別のコネクタ実施形態を示す。
【図１７】別の導管コネクタ実施形態を示す。
【図１８Ａ】さらに別の導管コネクタ実施形態の種々の図を示す。
【図１８Ｂ】さらに別の導管コネクタ実施形態の種々の図を示す。
【図１８Ｃ】さらに別の導管コネクタ実施形態の種々の図を示す。
【図１９Ａ】図２０Ａ〜２０Ｂのソース導管コネクタ実施形態と連結するように構成されている別のコネクタアダプタ実施形態を示す。
【図１９Ｂ】図２０Ａ〜２０Ｂのソース導管コネクタ実施形態と連結するように構成されている別のコネクタアダプタ実施形態を示す。
【図２０Ａ】図１９Ａ〜１９Ｂの別のコネクタアダプタ実施形態に取り付けるための環状リングを有する別のソース導管コネクタ実施形態を示す。
【図２０Ｂ】図１９Ａ〜１９Ｂの別のコネクタアダプタ実施形態に取り付けるための環状リングを有する別のソース導管コネクタ実施形態を示す。
【図２１Ａ】本開示に記載される種々のコネクタ実施形態を介して気流源に連結する鼻カニューレの一実施形態の種々の図を示す。
【図２１Ｂ】本開示に記載される種々のコネクタ実施形態を介して気流源に連結する鼻カニューレの一実施形態の種々の図を示す。
【図２１Ｃ】本開示に記載される種々のコネクタ実施形態を介して気流源に連結する鼻カニューレの一実施形態の種々の図を示す。
【図２１Ｄ】本開示に記載される種々のコネクタ実施形態を介して気流源に連結する鼻カニューレの一実施形態の種々の図を示す。
【発明を実施するための形態】
【００１７】
図１Ａおよび図１Ｂは、鼻カニューレと、フェイスマスクと、挿管チューブまたは患者用の他の呼吸デバイスからの第１のチューブ１１０を、人工呼吸器、加湿器、呼吸回路または患者にガスを提供するための他の気流デバイスの第２のチューブ１１５に取り付けるためのコネクタ１０５の一実施形態を含む、気体送達導管１００のそれぞれ斜視図および側面図を示す。コネクタは、気体送達導管１００の構成要素を互いに連結すること、または取り外すことを可能にすることができるため、呼吸デバイスおよび気流デバイスの取り外しおよび再連結が容易になり、患者または気体送達システムへの障害が最小限になる可能性がある。
【００１８】
例えば、患者は、加湿ガス、酸素添加ガスおよび／または加圧ガスを気体送達チューブ１１５に連結された鼻カニューレ１１０を通じて受け取ることができる。気体送達チューブ１１５は、さらには加湿器または人工呼吸器に連結されている。説明を簡単にするため、以下の開示では、鼻カニューレを（例えば、酸素を提供するための）気体送達チューブと連結するためのコネクタの実施形態について言及するが、このような実施形態への言及は本開示を限定することを意図するものではなく、他の実施形態も可能である。例えば、他の実施形態においては、ガスは鼻またはフルフェイスマスクなどの別の患者インターフェースによって患者に供給されるか別の気流源を使用して提供される。
【００１９】
示される実施形態では、コネクタ１０５は、鼻カニューレ１１０を受け入れるためのターミナル導管コネクタ１２０と、気体送達チューブ１１５を受け入れるためのソース導管コネクタ１２５と、導管コネクタを連結するための連結アダプタ１４０とを含む。ソース導管コネクタ１２５は、センサプローブ１３５を受け入れるための任意のセンサポート１３０を含む。示される実施形態では、ターミナル導管コネクタ１２０とソース導管コネクタ１２５とは、連結アダプタ１４０によって着脱可能に連結されている。気体送達チューブ１１５は、ソース導管コネクタ１２５と連結するように構成されており、鼻カニューレ１１０はターミナル導管コネクタ１２０と連結するように構成されており、患者に酸素または他のガスを提供するためのガス導管１００を形成する。一般に、酸素は、気体送達チューブ１１５から鼻カニューレ１１０に流れる。説明を簡単にするために、気体送達チューブ１１５の近位にあるガス導管の構成要素の孔をソース孔と呼ぶ一方で、鼻カニューレ１１０の近位にある孔をターミナル孔と呼ぶ。
【００２０】
示される実施形態では、ソース導管コネクタ１２５のソース孔１４５は、例えば、気体送達チューブ１１５上、および／または周りに嵌合してシールを形成することによって、気体送達チューブ１１５と連結する。ソース導管コネクタ１２５は気体送達チューブ１１５に着脱可能に取り付けても、永久的に取り付けてもよい。一実施形態において、ソース導管コネクタ１２５のターミナル孔１５０は、連結アダプタ１４０を受け入れるための係止タブ１５１、および／またはアライメントタブ１５２を含む。一実施形態において、係止タブは、連結アダプタ１４０の指１５３上に形成された係止凹部１５４と係止するように構成されており、これによって、解放可能なシールを形成する。一実施形態において、ターミナル孔１５０内に挿入されたときに係止タブが係止凹部と整列しない場合は、アライメントタブ１５２が連結アダプタ１４０をターミナル孔１５０内において回転させるように構成されている。アライメントタブは、係止タブと係止凹部とが整列するまで連結アダプタ１４０を回転させる。一実施形態では、凹部１５４は、指１５３内に延びる穴であり、凹部１５４と同じ機能を実施するように構成されている。
【００２１】
一実施形態において、係止タブは連結が完全に実施されたという確実なフィードバックを提供するために可聴クリック音を伴い係止凹部１５４と係合するように構成されている。そのようなクリック音は、一実施形態においては、指１５３が係止タブ上を通過する際に付勢されて、係止凹部１５４が係止タブ上にスナップフィットしたときにクリック音を発生させることができる。可聴クリック音は、また、他の構成要素が互いに係合した場合など他の手法で発生させることができる。
【００２２】
示される実施形態では、回転可能な連結部を形成するためにターミナル導管コネクタのソース孔１５５が連結アダプタ１４０を受け入れるように構成されている。一実施形態においては、ターミナル導管コネクタ内に形成される隆起は連結アダプタ１４０の周縁に形成されたチャネル１６０と係止するようになっている。隆起がチャネル１６０に沿って回転することを可能にすることによって、ターミナル導管コネクタ１２０と連結アダプタ１４０は、互いに対して回転することができる。一実施形態においては、連結アダプタ１４０のターミナル孔、およびソース孔に沿う、上昇した縁端またはカラーが、ターミナル導管コネクタ１２０が連結アダプタ１４０から分離するのを防止し、または阻止する。
【００２３】
ターミナル導管コネクタ１２０は、鼻カニューレ１１０のカニューレチューブを受け入れるように構成されたターミナル孔を含むことができる。ターミナル孔１６５は二重導管カニューレチューブを受け入れるための２つの開口部を含むことができる。各導管は、患者の外鼻孔に挿入するためのプロングに連結することができる。鼻カニューレ１１０は、ターミナル導管コネクタ１２０に着脱可能に取り付けることも永久的に取り付けることもできる。
【００２４】
図１Ｂは、コネクタ１０５の側面図を示す。ソース導管コネクタ１２５はターミナル導管コネクタ１２０に連結されている。センサプローブ１３５はセンサポート１３０を介してコネクタ１０５に連結されている。軸線１６７は、図６を切った断面を示す。
【００２５】
図１Ｃは、ソース導管コネクタ１２５と、ターミナル導管コネクタ１２０と、連結アダプタ１４０（この図では隠れている）と、の他の実施形態を有する別のコネクタ実施形態の斜視図を示す。この実施形態は、センサポート１３０などの図１Ａに関して上記した構造および特徴の多くを共有する。
【００２６】
図２Ａは、図１Ａのソース導管コネクタ１２５のターミナル孔１５０側の斜視図を示す。示される実施形態では、ソース導管コネクタ１２５は、ターミナル孔１５０およびソース孔１４５（図１Ａ）を有するほぼ円筒状のチューブを含む。ソース導管コネクタ１２５は、また、センサプローブ１３５を受け入れるための任意のセンサポート１３０を含むことができる。図２Ａでは、センサポート１３０はソース導管コネクタ１２５から垂直に延びるほぼ円筒状のチューブを含む。いくつかの実施形態では、チューブは導管コネクタ１２５の本体に垂直である。いくつかの実施形態では、チューブは実質的に垂直であるが、垂直から数度（例えば、５度、１０度または１５度未満）だけ角度をなしてもよい。いくつかの実施形態では、チューブは１５度超の角度をなす。例えば、コネクタ１０５（図１Ａ）構成要素を連結または分離するための増力作用（ａｄｄｉｔｉｏｎａｌ  ｐｕｒｃｈａｓｅ）、または摩擦を使用者に提供するために、１つまたは複数の指溝２０２をソース導管コネクタ１２５の外部表面上に形成することができる。例えば、２つの指溝２０２をソース導管コネクタ１２５の両側に配置することができる。
【００２７】
示される実施形態では、ソース導管コネクタ１２５は、連結アダプタ１４０（図１Ａ）を受け入れるための係止タブ１５１、およびアライメントタブ１５２を含む。図２Ａでは、２つの係止タブ１５１は、ソース導管コネクタ１２５の内部表面上に形成され、連結アダプタ１４０上に形成された係止凹部と係止するように構成されている。係止タブ１５１は、互いに対向して形成することができる。
【００２８】
図２Ａでは、アライメントタブ１５２は、ソース導管コネクタ１２５の内部表面上に形成された１つの連続的な突起物または隆起によって形成されている。一実施形態においては、１つの連続的な突起物または隆起は、ソース導管コネクタ１２５のターミナル孔１５０に向かう第１の距離からターミナル孔１５０から離れる第２の距離に変化する。連続的な突起物または隆起は、交互する谷２１５と頂点２２０とを有するボウルまたは鞍背形状を形成することができる。頂点２２０は連結アダプタ１４０の指を谷２１５内に案内するように構成されており、係止タブ１５１は、指上の係止凹部と係止することができる。例えば、ソース導管コネクタ１２５内に挿入されると、頂点２２０の勾配により指が谷２１５に向かって案内されるように、頂点２２０は、谷２１５に向かって傾斜させることができる。
【００２９】
図２Ａでは、ソース導管コネクタ１２５は、センサプローブ１３５を受け入れるための任意のセンサポート１３０を含む。示される図２Ａの実施形態では、センサポート１３０は、ターミナル孔１５０の近辺に、または孔１５０に実質的に隣接して配置されている。センサポート１３０を孔１５０の近傍に配置することにより、センサプローブ１３５は、患者のより近傍においてガス流を採取することができる。このような採取は、患者が受け取るガス流の状態のより正確な測定値を提供することができる。例えば、センサプローブ１３５が患者から一層離れて配置される場合、採取されたガス流と患者が吸入するガス流との間により大きな差がある可能性がある。したがって、測定されたガス流の条件が吸入されるガス流の条件と異なるために、（例えば、温度または湿度に基づく）患者の快感帯内にあると思われるガス流が患者に不快をもたらす可能性がある。一例においては、気流源１１５は空気を暖める発熱体を含むことができるが、気流が源１１５を出る際に気流の温度が急激に低下する可能性がある。このため、一実施形態では、より正確な結果を得るために、可能な限り患者の近くにセンサを配置すべきである。同様に、凝結により非常に急激な湿度変化が起こる。同じく、センサを患者の近くに配置できるほどセンサ測定値が正確になる。明らかなように、センサプローブ１３５を孔１５０または患者もしくは鼻カニューレ１１０の方に近づけて配置することによって、任意のセンサポート１３０なしに同様の利点を得ることができる。例えば、以下に記載されるように、これはセンサポートの代わりに一体型のセンサを使用することによって実施することができる。
【００３０】
図２Ａに示されるように、センサプローブ１３５はガス流を採取、測定および／または分析するために気体送達導管１００内のガス流中に配置されている。センサプローブ１３５は、例えば、温度センサ、サーミスタ、フローメータ、酸素（Ｏ2）センサ、二酸化炭素（ＣＯ2）センサ、一酸化窒素センサおよび／または湿度センサなどの任意のタイプのセンサ（複数）を含むことができる。センサプローブ１３５は、再利用可能とすることも使い捨てとすることもでき、かつ導管コネクタと着脱式とすることも一体型とすることもできる。センサプローブ１３５は、測定値を分析するための１つまたは複数のプロセッサを有する監視システムに連結することができ、かつケーブルを通じてまたは無線で監視システムと通信することができる。監視システムは、測定値を表示するまたはアラームを発生させるためのディスプレイまたは他の出力デバイス（例えば、スピーカ、アラームまたは無線送信機）を含むことができる。センサプローブ１３５および／または監視システムは、例えば、電気的消去可能読み出し専用メモリ（ＥＥＰＲＯＭ）、消去可能プログラマブル読み出し専用メモリ（ＥＰＲＯＭ）、フラッシュメモリ、不揮発性メモリ等のような記憶デバイスを含むことができる。センサプローブ１３５は、検出構成要素導体および記憶デバイス導体を含むその構成要素におよびその構成要素から信号を伝達するための複数の導体を含むことができる。
【００３１】
いくつかの実施形態では、センサポート１３０は、様々なタイプのセンサプローブ１３５を受け入れるように構成されており、センサプローブ１３５を現在の用途に基づき交換することを可能にする。例えば、湿度治療時には湿度センサを使用することができる一方で、酸素治療時には酸素センサを使用することができる。
【００３２】
いくつかの実施形態では、１つのみの係止タブ１５１があっても３つ以上の係止タブ１５１があってもよい。いくつかの実施形態では、アライメントタブ１５２は１つの連続的な突起物ではなくむしろ複数の突起物または不連続な隆起によって形成することができる。例えば、２つの分離された頂点２２０をソース導管コネクタ１２５の内部表面の両側に形成することができる。いくつかの実施形態では、ソース導管コネクタ１２５は、アライメントタブ１５２または係止タブ１５１のいずれかを含むことができる。
【００３３】
図２Ｂ〜２Ｇは、図１Ｃのソース導管コネクタ１２５の種々の図を示す。この実施形態は、図１Ａのソース導管コネクタ１２５に関して上述した構造および特徴の多くを共有する。
【００３４】
図２Ｂは、ターミナル孔１５０に面し、内部表面上に形成された、係止タブ１５１と、アライメントタブ１５２とを示すソース導管コネクタ１２５の斜視図を示す。
【００３５】
図２Ｃは、ソース孔１４５を示すソース導管コネクタ１２５の側部斜視図を示す。
【００３６】
図２Ｄは、ソース孔１４５と、ターミナル孔１５０と、指溝２０２と、センサポート１３０とを示すソース導管コネクタ１２５の側面図を示す。
【００３７】
図２Ｅは、図２Ｄに示される線に沿って切ったソース導管コネクタ１２５の断面図を示す。図２Ｅは、ソース孔１４５と、ターミナル孔１５０と、内部表面上にある、係止タブ１５１と、アライメントタブ１５２とを示す。
【００３８】
図２Ｆは、センサポート１３０と、内部表面上にある、係止タブ１５１と、アライメントタブ１５２とを示すソース導管コネクタ１２５のターミナル孔１５０正面図を示す。
【００３９】
図２Ｇは、ソース導管コネクタ１２５のセンサポート孔正面図を示し、センサポート１３０の孔が、ソース導管コネクタ１２５の本体内に開いているのを示す。図２Ｇでは、センサポート１３０はターミナル孔１５０に実質的に隣接し、かつそれに垂直に、ソース孔１４５から離れて示される。
【００４０】
図３Ａおよび図３Ｂは、ソース孔３０５側およびターミナル孔３１０側のそれぞれから、図１Ａの連結アダプタ１４０の斜視図を示す。示される実施形態では、連結アダプタ１４０は、ソース孔３０５から延びる２つの係止指１５３を有するほぼ円筒状のチューブを含む。係止指１５３は、指１５３間に嵌合するセンサプローブ１３５（図１Ａ）用の挿入孔３１２を形成するために、間隔をおいて配置することができる。挿入孔３１２は開口部を提供することができ、それを通じて気体送達導管１００（図１Ａ）内部から気流を採取するために、センサプローブ１３５の一部が気体送達導管１００内に延びる。挿入孔３１２は、また、例えば、連結アダプタ１４０がセンサプローブ１３５の周りにまたは上において気流源１１５（図１Ａ）の方に延びることを可能にすることによって、センサプローブ１３５が、鼻カニューレ１１０（図１Ａ）のより近傍に配置されることを可能にすることができる。一実施形態において、挿入孔３１２は、センサプローブ１３５が患者のより近傍に配置されることを可能にする一方で、同時に連結アダプタ１４０の一部がソース導管コネクタ１２５（図１Ａ）と係合することを可能にする。例えば、挿入孔３１２なしでは、センサプローブ１３５を、鼻カニューレ１１０から一層離して連結アダプタ１４０の端部３１４を越えて配置せねばならない可能性があり、センサプローブ１３５を患者のより近傍に配置するための上記の潜在的利点のいくつかを排除、抑制または減少させるおそれがある。
【００４１】
いくつかの実施形態では、各係止指１５３は、係止指１５３の外部表面上に形成された係止凹部１５４を含む。一実施形態において、係止凹部１５４は、ソース導管コネクタ１２５の係止タブと係止するように構成されている。いくつかの実施形態では、係止指１５３は、十分な長手方向の力により、係止凹部１５４がソース導管コネクタ１２５の係止タブ１５１上を通過し、それによって、連結アダプタ１４０をソース導管コネクタ１２５から解放することができるように可撓性材料または半剛性材料を含む。例えば、連結アダプタ１４０を（組み立てまたは連結時に）ソース導管コネクタ１２５に押し込むこと、またはアダプタ１４０を（分離時に）引き抜くことにより、ソース導管コネクタ１２５の係止タブを係止指１５３の係止凹部１５４と係合または分離することができる。
【００４２】
連結アダプタ１４０は、その外部表面の周縁に沿って形成された係止チャネル１６０を含むことができる。図３Ａでは、チャネルの縁端はソース孔およびターミナル孔にあるカラー３２０、３２５によって境界が定められる。ターミナル導管コネクタ１２０（図１Ａ）上にあるような隆起はチャネル１６０内に係止することができる。例えば、連結アダプタ１４０を（組み立てまたは連結時に）ターミナル導管コネクタ１２０内に押し込むこと、またはアダプタ１４０を（分離時に）引き抜くことにより、ターミナル導管コネクタ１２０の隆起を係止チャネル１６０と係合または分離させることができる。カラーは、長手方向の力（例えば、導管１００の軸線に沿う力）による隆起の分離を防止、または阻止することができる一方で、隆起が係止チャネル１６０に沿って回転することを可能にする。いくつかの実施形態では、ターミナルカラー３２０は、十分な長手方向の力により隆起がカラー３２０上を通過し、連結アダプタ１４０をターミナル導管コネクタ１２０から解放することができるように、可撓性材料または半剛性材料を含む。
【００４３】
連結アダプタ１４０は、その内部表面上に長手方向に形成された１つ、または複数の任意の突起３３０を有することができる。突起３３０は、連結アダプタに剛性を提供することができ、一実施形態においては、連結アダプタ１４０の内部周縁に沿って等間隔で配置されている。一実施形態においては、突起３３０はテーパ状であり、一端に、他端と比してより大きな剛性を提供することができる。例えば、連結アダプタ１４０のソース孔３０５側は、ソース導管コネクタ１２５との取り付けおよび／または取り外しのためにより大きな可撓性を必要としてもよく、かつ突起３３０はソース孔３０５に向かって（高さまたは幅において）先細ることができる。
【００４４】
いくつかの実施形態では、連結アダプタ１４０は、１つ、２つ、３つ、４つまたはそれより多い係止指１５３または突起３３０を有することができる。いくつかの実施形態では、例えば、ねじ状の機構、ピニオン機構、摩擦嵌合、サークリップおよび／または接着剤または他の化学的コネクタなどの他の種類の連結機構を使用することができる。
【００４５】
いくつかの実施形態では、異なるタイプの導管コネクタを連結するために異なるタイプの連結アダプタを提供することができる。例えば、人工呼吸器導管は加湿器導管と異なるタイプのソース導管コネクタを有することができる。連結アダプタを交換することによって、同じ鼻カニューレを、人工呼吸器導管または加湿器導管のいずれにも連結することができる。交換可能な連結アダプタを提供することによって、鼻カニューレを交換する必要がないため、患者に取り付けられた鼻カニューレを取り替える必要を排除、または低減することにより患者の不快が最小になる。同様に、アダプタを交換することによって、様々なタイプのターミナル導管コネクタを同じタイプのソース導管コネクタに連結することができる。例えば、異なるターミナル導管コネクタタイプを有するフェイスマスクを異なる連結アダプタを使用することによって、同じ加湿器に取り付けることにより、それを鼻カニューレの代わりに使用することができる。コネクタの互換性は潜在的に気体送達導管の取り付けを迅速化することができ、これは緊急の状況においては特に有益とされうる。
【００４６】
図３Ｃ〜３Ｇは、図１Ｃの連結アダプタ１４０の種々の図を示す。この実施形態は、図１Ａの連結アダプタ１２５に関して上述した構造および特徴の多くを共有する。
【００４７】
図３Ｃは、連結アダプタ１４０の本体から延びる２つの係止指１５３と、係止指１５３の外部表面上に形成された２つの係止凹部１５４と、を示す連結アダプタ１４０の頂面図を示す。いくつかの実施形態では、隆起したストリップ３５０は、各々の係止指１５３の凹部１５４の底部境界を形成する。各隆起したストリップ３５０は、各係止凹部３５０に追加の支持および／または剛性を提供することができ、係止凹部の、対応する係止タブとのより確実な連結を可能にする。
【００４８】
図３Ｄは、連結アダプタ１４０の本体から延びる係止指１５３と、係止指の外部表面上に形成された係止凹部１５４と、アダプタの外部表面の周縁に沿って形成された係止チャネル１６０とを示す連結アダプタ１４０の側面図を示す。図３Ｄの実施形態では、係止指１５３はその端部３１４からその基部３４０まで広くなっている。指１５３が連結アダプタ１４０の本体と連結するその基部を広くすることによって、係止指１５３の強度が向上し、係止指１５３を変形すること、および係止指１５３がソース導管コネクタ１２５の係止タブ１５１と係合した場合にそれを取り外すことをより困難にする。さらに、隆起したストリップ３５０も係止指１５３の強度を向上することができる。
【００４９】
図３Ｅは、連結アダプタ１４０の孔に面したターミナル導管コネクタ１２０の斜視図を示す。図３Ｅは、係止指１５３と、係止凹部１５４と、係止チャネル１６０と、連結アダプタの内部表面上に長手方向に形成された突起３３０とを示す。
【００５０】
図３Ｆは、ターミナル導管コネクタ１２０に面した連結アダプタ１４０の孔の前部正面図を示す。図３Ｇは、ソース導管コネクタ１２５に面した連結アダプタ１４０の孔の前部正面図を示す。アダプタ１３０の内部表面上に形成された突起３３０を示す。
【００５１】
図４Ａおよび図４Ｂは、ターミナル導管コネクタ１２０のソース孔１５５側の斜視図、および図１Ａのターミナル導管コネクタ１２０の頂面図を示す。図４Ａは、挿入される連結アダプタ１４０のないターミナル導管コネクタ１２０を示す一方で、図４Ｂは、連結アダプタ１４０を備えたターミナル導管コネクタ１２０を示す。示される実施形態では、ターミナル導管コネクタ１２０は、ターミナル導管コネクタ１２０の内部表面の周縁に沿って間隔をおいて配置された隆起４０５を含む。一実施形態において、隆起４０５は、周囲切り抜き部（ｓｕｒｒｏｕｎｄｉｎｇ  ｃｕｔｏｕｔｓ）により長手方向に形成された、またはターミナル導管コネクタ１２０に沿って軸方向に形成された突起物またはタブである。隆起４０５および周囲切り抜き部は、連結アダプタ１４０との摩擦係合を低減することができ、それによって回転性を向上する。隆起４０５は、幅または高さにおいてテーパ状とすることができる。各係止タブが連結アダプタ１４０のターミナルカラー３２０（図３Ａ）と係合する表面積が大きくなるため、テーパリングは、連結アダプタ１４０の挿入をより小さな力で実現することができる一方で、連結アダプタ１４０の取り外しにはより大きな力を必要とする。一実施形態において、係止溝４１０がターミナル導管コネクタ１２０の周縁に沿って形成され、連結アダプタ１４０のターミナルカラー３２０と係合するように構成されることによって、ターミナル導管コネクタ１２０を連結アダプタ１４０から取り外すのに必要な長手方向の力が増加される。
【００５２】
一実施形態において、ターミナル導管コネクタ１２０は、鼻カニューレ１１０（図１Ａ）のカニューレチューブを受け入れるように構成された、ターミナル導管コネクタ１２０上のターミナル孔１６５を含む。ターミナル孔１６５は、二重導管カニューレチューブを受け入れるための２つの開口部を含むことができ、各導管は、チューブの反対端において、患者の外鼻孔に挿入するためのプロングに連結する。示される実施形態では、開口部は、任意選択で、気流を二重導管カニューレチューブ内に注ぎ込むように構成された角度のある表面によって囲まれ、これによって気流を向上させることができる。ターミナル導管コネクタ１２０は、例えば、コネクタ１０５（図１Ａ）構成要素を連結または分離するための追加の増力作用（ｐｕｒｃｈａｓｅ）または摩擦を使用者に提供するために、ターミナル導管コネクタ１２０の外部表面上に形成された１つまたは複数の指溝４１５も含むことができる。図４Ａでは、複数の指溝４１５がターミナル導管コネクタ１２０の外部周縁に沿って間隔をおいて配置されている。
【００５３】
ターミナル導管コネクタ１２０の他の構成も可能である。例えば、いくつかの実施形態では、係止タブ４０５は１つの連続的な隆起である。他の実施形態では、隆起４０５は、ターミナル導管コネクタ１２０の軸線に対して垂直にまたは角度をなして形成される。いくつかの実施形態では係止溝４１０を含まない。孔１６５は１つの開口部とすることができる。例えば、孔１６５はフェイスマスクへの１つの導管を受け入れるように構成することができる。
【００５４】
図４Ｃ〜４Ｇは、図１Ｃのターミナル導管コネクタ１２０の種々の図を示す。この実施形態は、図１Ａのターミナル導管コネクタ１２０に関して上述した構造および特徴の多くを共有している。
【００５５】
図４Ｃは、鼻カニューレを受け入れるためのターミナル孔１６５とソース孔１５５とを示すターミナル導管コネクタ１２０の側面図を示す。連結アダプタ１４０を受け入れるターミナル導管コネクタ１２０の本体の第１の部分は第１の高さである。鼻カニューレを受け入れるターミナル導管コネクタ１２０の本体の第２の部分は第２の、より低い高さである。
【００５６】
図４Ｄは、ターミナル孔１６５およびソース孔１５５を示す、ターミナル導管コネクタ１２０を上から見下ろした図を示す。ターミナル導管コネクタ１２０の本体の第１の部分が第１の幅を有する一方で、本体の第２の部分は第２の、より狭い幅を有する。
【００５７】
図４Ｅは、ターミナル孔１６５の正面図を示す。図４Ｆは、ターミナル導管コネクタ１２０の内部表面の周縁に沿って間隔をおいて配置された隆起４０５を示すソース孔１５５の正面図を示す。
【００５８】
図５は、図１Ａのコネクタ１０５実施形態の長手方向断面図を示す。図５は、ターミナル導管コネクタ１２０の係止溝４１０と係合した連結アダプタ１４０のターミナルカラー３２０を示す。センサプローブ１３５の一部は連結アダプタの指１５３間に嵌合する。図５は、アライメントタブ１５２に嵌合する指１５３を示す。一実施形態において、ソース導管コネクタ１２５は外部シリンダ５１０内の内部シリンダ５０５を含み、送達チューブ１１５（図１Ａ）を受け入れるための挿入溝５１５を形成する。一実施形態において、内部シリンダおよび外部シリンダの圧力は、送達チューブ１１５との圧入を維持し、送達チューブ１１５をソース導管コネクタ１２５に連結したままに維持する。
【００５９】
図６は、鼻カニューレ１１０（図１Ａ）に面した図１Ｂの軸線１６７に沿って切った断面を示し、かつ連結アダプタ１４０の、ソース導管コネクタ１２５との係合を示す。示される実施形態では、ソース導管コネクタ１２５およびターミナル導管コネクタ１２０は、連結アダプタ１４０により取り付けられている。ソース導管コネクタ１２５の内部表面上に形成された係止タブ１５１は、連結アダプタ１４０の指１５３上の凹部１５４と係合する。係合はアダプタの長手方向の動きを阻止し、コネクタ１０５（図１Ａ）の偶発的な解放を制限する。アライメントタブ１５２は、指１５３を係合のための位置に案内することができる。
【００６０】
図６に示されるように、センサポート１３０は、センサプローブ１３５に気体送達導管１００（図１Ａ）内の気流へのアクセスを提供する。気流源からの気流は、ターミナル導管コネクタ１２０のターミナル孔１６５から出る前にセンサプローブ１３５を通過する。
【００６１】
明らかなように、コネクタ１０５の多くの可能な実施形態がある。例えば、いくつかの実施形態では、コネクタ１０５は連結アダプタ１４０も別の構成要素も含まない。いくつかの実施形態では、タブ、突起物、凹部、チャネルまたは溝などの要素が異なる構成要素上に配置されている。例えば、上記開示では、第１の構成要素上に配置される連結機構（例えば、突起物またはタブ）の第１の要素を記載する一方で、連結機構（例えば、凹部、チャネルまたは溝）の第２の要素を第２の構成要素上に配置するが、いくつかの実施形態では、要素の位置を第２の構成要素上の第１の要素、および第１の構成要素上の第２の要素と入れ替えることができる。いくつかの実施形態では、特定の要素を含まなくてもよい。一実施形態において、第１のコネクタ構成要素を第２のコネクタ構成要素上に取り付けるように構成することができる一方で、別の実施形態では、第２のコネクタ構成要素は第１のコネクタ構成要素上に取り付けるように構成することができる。
【００６２】
いくつかの実施形態では、コネクタ１０５の構成要素を取り付けるために様々なタイプの連結部を使用することができる。例えば、いくつかの構成要素を互いに永久的に固定するために、接着剤または他の化学物質を使用してもよい。他の例では、スナップフィット、ねじ山、摩擦嵌合またはサークリップなどの種々の機械的な連結機構を使用することができる。コネクタ１０５の構成要素には、種々のタイプの可撓性材料、半剛性材料または剛性材料を含むことができる。例えば、連結アダプタ１４０およびソース導管コネクタ１２５はポリプロピレン材料を含むことができ、ターミナル導管コネクタ１２０はＴＨＥＲＭＯＬＡＳＴ材料を含むことができる。プラスチック、熱可塑性物質、シリコーン、ガラス繊維入りナイロン（ｇｌａｓｓ−ｆｉｌｌｅｄ  ｎｙｌｏｎ）、金属、ばね鋼、ポリカーボネート、ＰＶＣ、ポリエチレン、ゴム（例えば、天然または加硫）、ポリウレタン等のような他の材料を使用することができる。例えば、一実施形態においては、連結アダプタ１４０はＡＢＳプラスチックを含み、ソース導管コネクタ１２５はポリプロピレンを含み、および／またはターミナル導管コネクタ１２０は熱可塑性エラストマを含む。
【００６３】
いくつかの実施形態では、解放可能な連結機構のいくつかを他の連結機構よりも強くすることができる。一実施形態において、連結アダプタ１４０によって形成されたソース導管コネクタ１２５との連結部は、連結アダプタ１４０によって形成されたターミナル導管コネクタ１２０との連結部よりも弱い。したがって、導管コネクタ１２０、１２５を引き離すと連結アダプタ１４０をソース導管コネクタ１２５から分離させることができる一方で、ターミナル導管コネクタ１２０に連結されたままにする。この構成は、別の患者インターフェースを容易に、または迅速にソース導管コネクタ１２５に取り付けることを可能にすることによって患者インターフェースの交換を容易にすることができる。他の構成も可能であり、例えば、連結アダプタ１４０を、ソース連結導管１２５と連結されたままになるように構成することができる。
【００６４】
いくつかの実施形態では、コネクタ１０５の連結部は、コネクタ１５０構成要素の迅速な連結または迅速な解放を可能にするように構成されている。例えば、構成要素は（例えば、押し込まれるとき、または引き離されるときに）１つの動作で連結するまたは解放するように構成することができる。構成要素の連結機構が自動的に整列するように構成要素が係合時に自己整合するように構成することができる。別の例では、気体送達導管１００に印加される長手方向の力により、これら他の、弱い方の連結部が最初に取り外されるように、コネクタ１０５の、気体送達チューブ１１５（図１Ａ）および／または鼻カニューレ１１０との連結部を他の連結部（例えば、連結アダプタ１４０との連結部）に対するものよりも強くすることができる。いくつかの実施形態では、偶発的な取り外しを排除するまたは低減するために気体送達チューブ１１５および／または鼻カニューレ１１０との連結部は永久的または半永久的なものである。
【００６５】
コネクタ１０５の他の実施形態も可能である。いくつかの実施形態では、ターミナル孔１６５は、１つの開口部、２つの開口部または３つ以上の開口部を含む。１つ、２つ、または２つよりも多い指溝４１５（図４Ａ）を外側に設けることができる。いくつかの実施形態では、気体送達導管１００または導管の一部をランヤード（例えば、患者の頚部の周りの）、クリップまたは他の固定機構により患者に取り付けることができる。構成要素によって形成されたシールは、気密にすることもいくらかの空気の漏れを可能にすることもできる。いくつかの実施形態では、コネクタ１０５の構成要素は、コネクタのサイズを示すために異なるように着色することができる。例えば、赤色は成人サイズのコネクタを示しうる一方で、青色は乳児用コネクタを示しうる。いくつかの実施形態では、気体送達用導管１００は１つまたは複数のスプリングチューブ部分を含むことができ、これにより可撓性を増すことができる。
【００６６】
コネクタ１０５の構成要素は、その使用目的によって様々なサイズに形成することができる。例えば、小児または乳児用の気体送達導管１００のためのコネクタは、成人用の気体送達導管１００のためのコネクタよりも小さくすることができる。いくつかの実施形態では、ソース導管コネクタ１２５は５ｍｍ〜３０ｍｍの範囲内の外径を有するが、他の実施形態においては、この直径はより大きくても小さくてもよい。一実施形態において、外径は約１５ｍｍである。他のコネクタ構成要素１０５はソース導管コネクタ１２５に一致する大きさにすることができる。例えば、他の構成要素は、ソース導管コネクタ１２５との係合のためにソース導管コネクタ１２５とほぼ同じ大きさにしてもよい。
【００６７】
図７は、図１Ａのコネクタの別のコネクタ実施形態７００を示す。図７では、ターミナル導管コネクタ７０５は、カニューレチューブをターミナル導管コネクタに個々に連結するためのデュアルボール、およびソケット連結部７１０を含む。ボールおよびソケット連結部７１０は、互いに独立して動作することができる。これにより、カニューレチューブのねじれを別個に解いたりほどいたりすることを可能にすることができ、それによって鼻カニューレの調整を容易にする。加えて、カニューレチューブが長くなるほど一般に鼻カニューレの調整の程度が大きくなるが、ボールおよびソケット連結部７１０によって、より大きな動きの自由が提供されることにより、潜在的に同様の程度の調整を提供することができる一方で、より短い長さのカニューレチューブを使用することが可能になる。
【００６８】
図８は、図１Ａのコネクタのさらに別のコネクタ実施形態８００を示す。図８では、ターミナル導管コネクタ８０５およびセンサプローブ８１０が、ソース導管コネクタ８１５に対してほぼ垂直に連結する。ソース導管コネクタ８１５は、スイベルチューブ８２０に連結する。スイベルチューブ８２０は、さらには気体送達チューブ８２５に連結する。センサプローブ、ターミナル導管コネクタ、およびソース導管コネクタがスイベルチューブ８２０により、気体送達チューブに回転自在に取り付けられるため、コネクタを患者のベッド上に平らに配置することができ、潜在的に患者の快適性を向上するかコネクタが邪魔にならないようにする。示される実施形態では、コネクタ８００は、ほぼ９０度の角度を形成するような形状にされ、それによって、センサプローブ８１０上の、および鼻カニューレ８３０に入る気流の方向を変える。この、気流の方向転換により、有利には、センサプローブ８１０が気流の変化を検出することによって、ターミナル導管コネクタ８０５の分離を検出することを可能にすることができる。例えば、センサプローブ８１０は気流の方向、速度または成分（例えば、湿度または温度）の変化を検出することができ、ターミナル導管コネクタ８０５が、もはや気流の方向転換のために取り付けられていないと判断することができる。
【００６９】
図９は、図１Ａのコネクタのさらに別のコネクタ実施形態９００を示す。図９では、ターミナル導管コネクタ９０５は、ほぼ垂直またはほぼ真直のいずれかにおいてソース導管コネクタ９１０と連結することができる。ターミナル導管コネクタ９０５の二重配向（ｄｕａｌ  ｏｒｉｅｎｔａｔｉｏｎ）は、鼻カニューレ９２０の調節において、より大きな柔軟性を提供することができる。
【００７０】
ソース導管コネクタ９１０は、孔９３０を含むことができ、それを通じて、センサプローブ９２５が、ターミナル導管コネクタ９１０内に一部延びることができるため、センサプローブ９２５を、カニューレ内への気流の入口に近付けることができる。示される実施形態では、センサプローブ９２５が、孔９３０を越えて延びることを可能にするために、孔９３０に切り込みが入れられる。これにより、センサプローブ９２５が、患者が吸入するガスの温度、湿度または他のパラメータのより正確な測定値を収集することを可能にすることができる。
【００７１】
図１０は、図１Ａのコネクタのさらに別のコネクタ実施形態１０００を示す。図１０では、ターミナル導管コネクタ１００５は、連結アダプタ１０１０に連結する。連結アダプタ１０１０は、ソース導管コネクタ１０１５に連結する。連結アダプタ１０１０は、隣接するターミナル導管コネクタ、およびソース導管コネクタよりも大きな直径を有するカラー１０２０を含む。したがって、コネクタが組み立てられると、カラー１０２０の一部は、連結されたターミナル導管コネクタおよびソース導管コネクタの外部ハウジングを越えて延在し、リングとして目視可能な状態を維持する。カラー１０２０は、コネクタ１０００のサイズ情報を示すために着色することができる。カラー１０２０は、また、使用者により良好な摩擦保持を提供することができ、それによって、より短いコネクタにより同様の量の摩擦把持を提供することを可能にし、コネクタ構成要素の取り付けおよび／または取り外しを容易にすることができる。
【００７２】
図１１Ａおよび図１１Ｂは、図１Ａのコネクタのさらに別のコネクタ実施形態１１００を示す。図１１では、ターミナル導管コネクタ１１０５は、ソース導管コネクタ１１１０内に嵌合する一方で、ねじ状のキャップ１１１５は、ターミナル導管コネクタ１１０５上に嵌合し、かつソース導管コネクタのねじ状の端部１１２０と係合する。ねじ状のキャップ１１１５は、ターミナル導管コネクタ１１２５のカラーと係合し、ターミナル導管コネクタがソース導管コネクタに押されたままにする。ターミナル導管コネクタ１１０５の本体上に形成されたフィン１１２６は、ターミナル導管コネクタ１１０５の外側と、ソース導管コネクタ１１１０の内側との間の空間を提供することができる。
【００７３】
一実施形態において、ねじ状のキャップ１１１５は、ソース導管コネクタのねじ状の端部１１２０上にあるねじ山溝のいくつかのみと係合する。例えば、ねじ状の端部１１２０が６つのねじ山溝を有する場合、ねじ式キャップ１１１５は、溝のうち３つのみと係合し、他の３つのねじ山溝が空いたままになるように構成される。ねじ山の部分係合は、コネクタ内に捕集される凝縮物が空いたねじ山に沿って、流出路１１３５に沿って出ることを可能にすることができ、それによって、凝縮物がカニューレ１１３０に入ることを防止または抑制する。流出路１１３５、または排出チャネルはターミナル導管コネクタ１１０５の外側と、ソース導管コネクタ１１１０の内側との間の空間１１３７によって、部分的に形成することができる。
【００７４】
図１２は、図１Ａのコネクタのさらに別のコネクタ実施形態１２００を示す。図１２では、ターミナル導管コネクタ１２０５は、連結アダプタ１２１０に連結する。連結アダプタ１２１０は、ソース導管コネクタ１２１５に連結する。連結アダプタは、例えば、ねじ山または摩擦嵌合により、ターミナル導管コネクタ１２０５と連結するための端部１２２０を含む。連結アダプタ１２１０のソース孔１２２５は、ソース導管コネクタ１２１５上に嵌合する。
【００７５】
図１３は、図１Ａのコネクタのさらに別のコネクタ実施形態１３００を示す。図１３では、ターミナル導管コネクタ１３０５は、ソース導管コネクタ１３１０に連結する。ターミナル導管コネクタの連結端部上に形成された係止タブ１３１５は、ソース導管コネクタ１３１０内の他の係止タブと係合する。ターミナル導管コネクタ１３０５をソース導管コネクタ１３１０に対して回すと、係止タブ１３１５を外すことができ、コネクタ１３００を分離することが可能になる。
【００７６】
図１４は、図１Ａのコネクタのさらに別のコネクタ実施形態１４００を示す。図１４では、ターミナル導管コネクタ１４０５はソース導管コネクタ１４１０に連結する。ターミナル導管コネクタの連結端部上に形成された係止ねじ山１４１５は、ソース導管コネクタと係合する。ターミナル導管コネクタ１４０５をソース導管コネクタ１４１０に対して回すと、係止ねじ山１４１５を外すことができ、コネクタ１４００を分離することが可能になる。
【００７７】
一実施形態において、導管コネクタ１４１０の一方の側は、特有の、または独自の連結機構を使用して別の構成要素と係合するように構成することができる一方で、導管コネクタ１４１０のもう一方の側では、一般的なまたは標準的な連結機構を使用する。一般的な連結部は、様々な製造業者により製造された種々の構成要素への連結を可能にすることができる。一方、独自の連結部は、単一のまたは選択した組の製造業者の構成要素への連結のみを可能にする。２つの異なる種類のコネクタを設けると、１つの構成要素が別の構成要素よりも高い精度を要し、特定の構成要素の使用を必須とすることで、公知の、または既定の特徴を有する構成要素の使用が可能になる状況において有益となりうる。一方、一般的な連結部は、より大きな互換性を提供することができる。一実施形態例では、一般的な連結部１４２０を、摩擦嵌合を使用して取り付けるが、独自の連結部１４２５を係止ねじ山１４１５と連結する。
【００７８】
図１５は、図１Ａのコネクタのさらに別のコネクタ実施形態１５００を示す。図１５では、ターミナル導管コネクタ１５０５は、ソース導管コネクタ１５１０に連結する。ソース導管コネクタ１５１０の縁端は、ターミナル導管コネクタ１５０５上の係止溝１５１２と係合することができる。Ｏリングシール１５１５がターミナル導管コネクタとソース導管コネクタとの間にシールを形成する。示される実施形態では、センサポート１５２０が、ソース導管コネクタの、ターミナル導管コネクタとの連結部から離れたソース導管コネクタ上に形成されている。
【００７９】
図１６は、図１Ａのコネクタのさらに別のコネクタ実施形態１６００を示す。図１６では、ターミナル導管コネクタ１６０５が連結アダプタ１６１０と連結する。連結アダプタ１６１０は、ソース導管コネクタ１６１５と連結する。示される実施形態では、連結アダプタ１６１０は、ソース導管コネクタ１６１５と係合するための３本の指１６２０を含む。指１６２０は、センサプローブ１６０５を２本の指１６２０の間に嵌めるための挿入孔１６３０を形成するために、間隔をおいて配置することができる。挿入孔１６３０は、センサプローブ１６０５を、鼻カニューレ１６３５のより近傍に配置することを可能にする。例えば、挿入孔１６３０なしでは、センサプローブ１６０５を、連結アダプタ１６１０の端部を越えて、鼻カニューレ１６３５からさらに離して配置せねばならない可能性がある。
【００８０】
図１７は、一体型のセンサプローブ１７０５を有する導管コネクタ１７００の一実施形態を示す。センサプローブ１７０５は、連結アダプタ（例えば、図１の連結アダプタ１４０）の２つの指によって形成された挿入孔に嵌合するように配置されている。挿入孔に嵌入することによって、センサプローブ１７０５を鼻カニューレのより近傍に配置することができる。示される実施形態では、センサプローブ１７０５は、導管コネクタ１７００の孔１７０７から、係止タブ１７２０とほぼ同じ距離に配置される。指が係止タブ１７２０と係合すると、センサプローブ１７０５は、連結アダプタの指間に嵌合する。一実施形態において、導管コネクタ１７００はセンサポートを有しない。
【００８１】
図１８Ａ〜１８Ｃは、着脱式センサプローブのための受け入れ部を有する導管コネクタ１８００の一実施形態の種々の図を示す。図１８Ａの示される実施形態では、受け入れ部はセンサプローブを受け入れるためのチャネル１８０５、１８１０を含む。チャネル１８０５、１８１０は、導管コネクタ１８００の内部表面内に部分的に、または全体に延びることができる。センサプローブは、板形、矩形、楕円形、菱形または受容部によって、受け入れられるように構成された、任意の他の形状とすることができる。一実施形態において、センサプローブは、チャネル１８０５、１８１０と係合するように構成されたアライメントタブを含む。アライメントタブは、センサプローブを、センサ測定値をより効果的に取得することができる位置、または連結アダプタの１つまたは複数の係止指によって形成された挿入孔間の位置などの、導管コネクタ１８００内の既定の位置に配置するように構成することができる。
【００８２】
一実施形態において、受け入れ部は、既定の位置に到達すると、センサプローブを所定の位置に係止または固定するためのキャッチ、切り欠き、タブ、壁、または他の構造を含むことができる。いくつかの実施形態では、受け入れ部は、チャネル１８０５、１８１０に加えてまたはその代わりに、センサプローブを受け入れ、および／または固定するための他の構造を含むことができる。例えば、受け入れ部は、センサプローブ上のチャネルと係合するように構成された隆起を含むことができる。導管コネクタ１８００は、また、１つまたは複数の係止タブ１８２０を含むことができる。
【００８３】
図１８Ｂは後部斜視図を示し、図１８Ｃは図１８Ａの実施形態の断面図を示す。示される実施形態では、ホースまたは送達チューブなどの第２の導管用の挿入溝は、導管コネクタ１８００の外壁１８２５、１８３０と内壁１８２７、１８３２との間の空間によって形成されている。示される実施形態では、外壁の端部は内壁の端部１８２２を越えて延びている。しかしながら、他の実施形態においては、内壁と外壁は同じ長さであってもよく、内壁は外壁を越えて延びてもよい。
【００８４】
図１９Ａ〜１９Ｂは、図２０Ａ〜２０Ｂのソース導管コネクタ実施形態と連結するように構成された別のコネクタアダプタ実施形態を示す。
【００８５】
図１９Ａは、２つの係止指１５３の１つおよびその係止凹部１５４に面する連結アダプタの側面図を示す。本開示の種々の実施形態に示すように、連結アダプタの本体上に形成されたチャネル１６０は、対応するターミナル導管コネクタのための係合面を提供する。図１９Ａでは、係止凹部１５４は係止指１５３の全体にわたり延在し、図２０Ａ〜２０Ｂのソース導管コネクタ実施形態上の環状係止リングとの係合を提供する。
【００８６】
図１９Ｂは、係止指１５３およびその係止凹部１５４を示す図１９Ａの連結アダプタの斜視図を示す。
【００８７】
図２０Ａ〜２０Ｂは、図１９Ａ〜１９Ｂの別のコネクタアダプタ実施形態に取り付けるための環状リングを有する別のソース導管コネクタ１２５実施形態を示す。
【００８８】
図２０Ａは、ターミナル孔１５０側に面するソース導管コネクタの斜視図を示す。ソース導管コネクタの内部表面内に形成されるのは、ソース導管コネクタの本体内で周方向に延びる、隆起したストリップによって形成された環状係止リング２００５である。図１９Ａおよび図１９Ｂの連結アダプタの係止凹部１５４は、連結アダプタがソース導管コネクタ内に挿入されると、環状係止リング２００５と係合するように構成されている。
【００８９】
図２０Ｂは、図２０Ａに示される断面線に沿って切られた断面図を示す。断面図は、ソース導管コネクタの内部表面上に形成された環状係止リング２００５を示す。
【００９０】
図２１Ａ〜Ｄは、本開示に記載される種々のコネクタ実施形態により気流源に連結する鼻カニューレ２１００の一実施形態の種々の図を示す。いくつかの実施形態では、鼻カニューレは乳児用である。
【００９１】
図２１Ａは、鼻カニューレ２１００の患者に面する側の上部斜視図を示す。鼻カニューレ２１００は、患者の外鼻孔に嵌入する２つのプロング２１０５ａ、２１０５ｂを含む。気道管２１１０がプロングから延びて、（例えば、図１Ａのコネクタ１０５により）空気源に連結する。
【００９２】
図２１Ｂは、患者の逆側に面した鼻カニューレ２１００の外部側部の上部斜視図を示す。図２１Ｂは、２つのプロング２１０５ａ、２１０５ｂと、２つのプロングに連結された２つの気道管２１１０ａ、２１１０ｂとを示す。
【００９３】
図２１Ｃは、プロング２１０５の１つおよび気道管２１１０の１つを示す鼻カニューレ２１００の側面図を示す。
【００９４】
図２１Ｄは、２つのプロング２１０５ａ、２１０５ｂと、２つのプロングに連結された２つの気道管２１１０ａ、２１１０ｂとを示す鼻カニューレ２１００の底面図を示す。
【００９５】
いくつかの実施形態では、特定の特徴を種々の構成要素と組み合わせることも省略することもできる。例えば、ターミナル導管コネクタ１２０の連結機構はソース導管コネクタ１２５によって実施することができる、および／またはソース導管コネクタ１２５の連結機構をターミナル導管コネクタ１２０によって実施することができる。別の例では、センサポート１３０をソース導管コネクタ１２５ではなく、むしろターミナル導管コネクタ１２０上に配置することができる。いくつかの特徴を、上記開示において特徴を実施するものとして記載した構成要素ではなく、むしろ異なる構成要素（例えば、ターミナル導管コネクタ１２０、ソース導管コネクタ１２５または連結アダプタ１４０）によって実施することができる。
【００９６】
本明細書中に使用されるとりわけ「できる（ｃａｎ）」、「できる（ｃｏｕｌｄ）」、「してもよい（ｍｉｇｈｔ）」、「してもよい（ｍａｙ）」、「例えば（ｅ．ｇ．）」等などの条件付きの文言（ｃｏｎｄｉｔｉｏｎａｌ  ｌａｎｇｕａｇｅ）は、特に明記されない限り、または使用される状況内において解釈されない限り、全般的に、特定の実施形態が特定の特徴、要素および／または状態を含む一方で他の実施形態では含まないことを伝えることを意図するものである。したがって、このような条件付きの文言は、一般に、特徴および／または要素がいずれにおいても１つまたは複数の実施形態に必須であることを示唆するものではない。
【００９７】
前述の開示を特定の好適な実施形態の点において記載したが、当業者には他の実施形態も本明細書中の開示から明らかとなろう。記載した本開示の種々の態様および特徴を別々に実施することも、組み合わせることも、互いを入れ替えることもできるとともに、特徴および態様の種々の組み合わせおよび部分的組み合わせを実施したとしても、依然として、本開示の範囲内であると企図される。したがって、本開示は、好適な実施形態の詳細によって限定されるものではなく、添付の特許請求の範囲の参照によって定義されるものである。
【００９８】
本発明の前述の記載はその好適な形態を含む。本発明の範囲から逸脱することなくそれに改良を施してもよい。
【図１Ａ】
2020049247.tif 000003
【図１Ｂ】
2020049247.tif 000004
【図１Ｃ】
2020049247.tif 000005
【図２Ａ】
2020049247.tif 000006
【図２Ｂ】
2020049247.tif 000007
【図２Ｃ】
2020049247.tif 000008
【図２Ｄ】
2020049247.tif 000009
【図２Ｅ】
2020049247.tif 000010
【図２Ｆ】
2020049247.tif 000011
【図２Ｇ】
2020049247.tif 000012
【図３Ａ】
2020049247.tif 000013
【図３Ｂ】
2020049247.tif 000014
【図３Ｃ】
2020049247.tif 000015
【図３Ｄ】
2020049247.tif 000016
【図３Ｅ】
2020049247.tif 000017
【図３Ｆ】
2020049247.tif 000018
【図３Ｇ】
2020049247.tif 000019
【図４Ａ】
2020049247.tif 000020
【図４Ｂ】
2020049247.tif 000021
【図４Ｃ】
2020049247.tif 000022
【図４Ｄ】
2020049247.tif 000023
【図４Ｅ】
2020049247.tif 000024
【図４Ｆ】
2020049247.tif 000025
【図４Ｇ】
2020049247.tif 000026
【図５Ａ】
2020049247.tif 000027
【図５Ｂ】
2020049247.tif 000028
【図５Ｃ】
2020049247.tif 000029
【図６】
2020049247.tif 000030
【図７】
2020049247.tif 000031
【図８】
2020049247.tif 000032
【図９】
2020049247.tif 000033
【図１０】
2020049247.tif 000034
【図１１Ａ】
2020049247.tif 000035
【図１１Ｂ】
2020049247.tif 000036
【図１２】
2020049247.tif 000037
【図１３】
2020049247.tif 000038
【図１４】
2020049247.tif 000039
【図１５】
2020049247.tif 000040
【図１６】
2020049247.tif 000041
【図１７】
2020049247.tif 000042
【図１８Ａ】
2020049247.tif 000043
【図１８Ｂ】
2020049247.tif 000044
【図１８Ｃ】
2020049247.tif 000045
【図１９Ａ】
2020049247.tif 000046
【図１９Ｂ】
2020049247.tif 000047
【図２０Ａ】
2020049247.tif 000048
【図２０Ｂ】
2020049247.tif 000049
【図２１Ａ】
2020049247.tif 000050
【図２１Ｂ】
2020049247.tif 000051
【図２１Ｃ】
2020049247.tif 000052
【図２１Ｄ】
2020049247.tif 000053
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
ガスを患者に提供するための気体送達導管用のコネクタアセンブリであって、
第１の導管コネクタを第２の導管コネクタに着脱可能に取り付けるように構成された連結アダプタであって、
第１の導管本体と、
前記第１の導管コネクタに着脱可能に取り付けるように構成された１つまたは複数の係止指であって、前記１つまたは複数の係止指が前記導管本体から長手方向に突出している１つまたは複数の係止指と、を含む、連結アダプタを含み、
前記第１の導管コネクタが、
第２の導管本体と、
前記連結アダプタの前記１つまたは複数の係止指に着脱可能に取り付けるように構成された１つまたは複数の係止タブであって、前記１つまたは複数の係止タブが前記第２の導管本体の内部表面に形成されている、１つまたは複数の係止タブと、を含む、
コネクタアセンブリ。
【外国語明細書】
2020049247000001.pdf